(57)【要約】【課題】操作部の取り付け面に対する取り付け位置を容易に調整することができる水栓装置を提供する。【解決手段】本発明は、取り付け面に埋設された配管に接続される水栓装置（１）であって、配管（１２、１４、１６）に連結された水栓装置本体（２２、１２２）と、この水栓装置本体に収容され、配管を介して供給された湯及び／又は水の流路を調整する水栓ユニット（２４、１２４）と、この水栓ユニットに、取り付け面から突出する方向に延びるように設けられ、水栓ユニットを操作するために回転されるスピンドル（２６、１２６）と、このスピンドルを回転操作するために設けられた操作部（６、８）と、スピンドルの軸線方向に位置調整可能に設けられ、操作部と当接することによって操作部を位置決めする高さ調整手段（３０、１３０）と、を有することを特徴としている。【選択図】図２
2007262779.tif 000002
【特許請求の範囲】
【請求項１】
取り付け面に埋設された配管に接続される水栓装置であって、
上記配管に連結された水栓装置本体と、
この水栓装置本体に収容され、上記配管を介して供給された湯及び／又は水の流路を調整する水栓ユニットと、
この水栓ユニットに、上記取り付け面から突出する方向に延びるように設けられ、上記水栓ユニットを操作するために回転されるスピンドルと、
このスピンドルを回転操作するために設けられた操作部と、
上記スピンドルの軸線方向に位置調整可能に設けられ、上記操作部と当接することによって上記操作部を位置決めする高さ調整手段と、
を有することを特徴とする水栓装置。
【請求項２】
上記高さ調整手段は、回転されることにより上記スピンドルの軸線方向に平行移動されるように構成されている請求項１記載の水栓装置。
【請求項３】
さらに、上記スピンドルを取り囲むように配置され、上記操作部に加えられた操作力を上記スピンドルに伝達する筒状の伝達部材を有し、上記高さ調整手段は、上記伝達部材の先端に、高さ調整可能に取り付けられている請求項１又は２記載の水栓装置。
【請求項４】
上記高さ調整手段は上記伝達部材に螺合されており、上記高さ調整手段を回転させることにより、上記高さ調整手段の上記伝達部材からの突出量が調整される請求項３記載の水栓装置。
【請求項５】
上記伝達部材は、その外側面に上記操作部と係合するスプラインが形成され、その内側面に上記スピンドルと係合するスプラインが形成されている請求項３又は４記載の水栓装置。
【請求項６】
上記スピンドルは金属製であり、上記伝達部材は樹脂製である請求項３乃至５の何れか１項に記載の水栓装置。
【発明の詳細な説明】
【技術分野】
【０００１】
本発明は水栓装置に関し、特に、取り付け面に埋設された配管に接続される水栓装置に関する。
【背景技術】
【０００２】
特開平４−１９４２３５号公報（特許文献１）には、胴長止水栓の施工方法が記載されている。この施工方法では、止水栓本体が建築物の筐体に埋め込まれ、スピンドルが建築物の筐体から突出するように、止水栓本体から延びている。また、スピンドルの先端にはハンドルが取り付けられており、このハンドルを回転させることにより、止水、吐水を切り替えることができる。
【０００３】
【特許文献１】特開平４−１９４２３５号公報
【発明の開示】
【発明が解決しようとする課題】
【０００４】
しかしながら、建築物の壁面等の取り付け面に埋め込まれる止水栓本体の位置は施工時に誤差が発生しやすく、この止水栓本体から延びるスピンドルの、取り付け面からの突出量には、一般にバラツキが生じる。このため、このスピンドルの先端に取り付けられるハンドル（操作部）の取り付け位置にも誤差が生じる。このハンドル等の取り付け位置の誤差は、ハンドルを含めた水栓装置全体の外観を悪化させるばかりでなく、場合によっては、ハンドルを取り付け不能にするという問題がある。
【０００５】
特開平４−１９４２３５号公報に記載の施工方法では、スピンドルを十分に長く構成しておき、これを止水栓本体の取り付け後に適当な長さに切断することによって、ハンドルの位置調整を可能にしている。しかしながら、この施工方法では、スピンドルを短くする方向にのみ調整が可能であるため、スピンドルを予め必要以上に長くしておかなければならないという問題がある。また、一般にスピンドルは金属で形成されていることが多く、これを施工現場で適当な長さに切断するのは困難であるという問題がある。
【０００６】
従って、本発明は、操作部の取り付け面に対する取り付け位置を容易に調整することができる水栓装置を提供することを目的としている。
【課題を解決するための手段】
【０００７】
上述した課題を解決するために、本発明は、取り付け面に埋設された配管に接続される水栓装置であって、配管に連結された水栓装置本体と、この水栓装置本体に収容され、配管を介して供給された湯及び／又は水の流路を調整する水栓ユニットと、この水栓ユニットに、取り付け面から突出する方向に延びるように設けられ、水栓ユニットを操作するために回転されるスピンドルと、このスピンドルを回転操作するために設けられた操作部と、スピンドルの軸線方向に位置調整可能に設けられ、操作部と当接することによって操作部を位置決めする高さ調整手段と、を有することを特徴としている。
【０００８】
このように構成された本発明においては、高さ調整手段が、水栓装置本体に収容された水栓ユニットのスピンドルの軸線方向に位置調整可能に設けられている。スピンドルを回転操作する操作部は、高さ調整手段と当接することによって位置決めされる。
【０００９】
このように構成された本発明によれば、操作部の取り付け位置を高さ調整手段によって調整することができるので、取り付け面とそれに埋設された配管との間の位置関係に施工誤差等がある場合でも、取り付け面に対する操作部の取り付け位置を容易に調整することができる。
【００１０】
本発明において、好ましくは、高さ調整手段は、回転されることによりスピンドルの軸線方向に平行移動されるように構成されている。
このように構成された本発明によれば、高さ調整手段の位置を容易に微調整することができる。
【００１１】
本発明において、好ましくは、さらに、スピンドルを取り囲むように配置され、操作部に加えられた操作力をスピンドルに伝達する筒状の伝達部材を有し、高さ調整手段は、伝達部材の先端に、高さ調整可能に取り付けられている。
【００１２】
このように構成された本発明によれば、高さ調整手段が伝達部材を介してスピンドルに連結されるので、既存の水栓ユニットのスピンドルに高さ調整手段を連結し、操作部の取り付け位置を調節することができる。
【００１３】
本発明において、好ましくは、高さ調整手段は伝達部材に螺合されており、高さ調整手段を回転させることにより、高さ調整手段の伝達部材からの突出量が調整される。
このように構成された本発明によれば、簡単な機構で高さ調整手段を構成することができる。
【００１４】
本発明において、好ましくは、伝達部材は、その外側面に操作部と係合するスプラインが形成され、その内側面にスピンドルと係合するスプラインが形成されている。
【００１５】
このように構成された本発明においては、スピンドルと伝達部材の間、及び伝達部材と操作部の間の回転がスプラインによって規制される。
このように構成された本発明によれば、伝達部材と操作部の間の回転を規制しながら、スピンドルの軸線方向に対する操作部の取り付け高さの調整を許容することができる。
【００１６】
本発明において、好ましくは、スピンドルは金属製であり、伝達部材は樹脂製である。
このように構成された本発明によれば、スピンドルを金属製とすることにより、スピンドルの強度を確保しながら、これを取り囲む伝達部材を樹脂製とすることにより、湯水の熱が操作部に伝導され、操作部が過熱されるのを防止することができる。
【発明の効果】
【００１７】
本発明の水栓装置によれば、操作部の取り付け面に対する取り付け位置を容易に調整することができる。
【発明を実施するための最良の形態】
【００１８】
次に、図面を参照して、本発明の実施形態による水栓装置を説明する。
図１は、本発明の実施形態による水栓装置全体を示す斜視図である。図２は、本実施形態の水栓装置を鉛直面で切断した断面図である。また、図３は、本実施形態の水栓装置の分解斜視図である。
【００１９】
図１に示すように、本発明の実施形態による水栓装置１は、湯及び水を混合して適温に調整する湯水混合水栓２と、この湯水混合水栓２によって温度調整された湯を、オーバーヘッドシャワー用のシャワーヘッド（図示せず）又はハンドシャワー用のシャワーヘッド（図示せず）から吐水させる切替水栓４と、を有する。また、本実施形態による水栓装置１は、操作部である湯温調整用ハンドル６と、操作部である吐水切替用ハンドル８と、を有する。給水用の配管１２から供給された水、及び給湯用の配管１４から供給された湯は、湯温調整用ハンドル６による設定に従って湯水混合水栓２で適宜混合され、配管１６に流出される。この配管１６に流出された湯水は、吐水切替用ハンドル８の操作に従って、切替水栓４を介して、オーバーヘッドシャワー用又はハンドシャワー用のシャワーヘッド（図示せず）から吐水される。なお、本実施形態による水栓装置１は、湯水混合水栓２及び切替水栓４を含んでおり、これらの水栓も又、水栓装置である。従って、本実施形態の水栓装置１は、２つの水栓装置である湯水混合水栓２及び切替水栓４を含むものである。
【００２０】
まず、図１乃至図３を参照して、水栓装置である湯水混合水栓２を説明する。
図１乃至図３に示すように、湯水混合水栓２は、取り付け面である壁面Ｗに埋設された給水用の配管１２及び給湯用の配管１４に接続されている。また、湯水混合水栓２は、水栓装置本体である湯水混合水栓本体２２と、この湯水混合水栓本体２２に収容された水栓ユニットである湯水混合ユニット２４と、この湯水混合ユニット２４から延びるスピンドルである温調用スピンドル２６と、を有する。また、湯水混合水栓２は、温調用スピンドル２６を取り囲むように配置され、湯温調整用ハンドル６に加えられた操作力を温調用スピンドル２６に伝達する伝達部材である温調用伝達部材２８と、この温調用伝達部材２８の先端に螺合された高さ調整手段である温調用高さ調整カラー３０と、を有する。
【００２１】
湯水混合水栓本体２２は、壁面Ｗに埋設されており、給水用の配管１２及び給湯用の配管１４を夫々連結するように構成されている。また、湯水混合水栓本体２２は、湯水混合ユニット２４を収容するように構成されている。さらに、湯水混合水栓本体２２は、給水用の配管１２から流入した水が水用水路２２ａに導かれ、給湯用の配管１４から流入した湯が湯用水路２２ｂに導かれるように構成されている。これらの水用水路２２ａ及び湯用水路２２ｂから湯水混合ユニット２４に流入し、その内部で混合された湯水は、出口水路２２ｃに流出するように構成されている。
【００２２】
湯水混合ユニット２４は、概ね円筒状の湯水混合ユニット本体２４ａと、この湯水混合ユニット本体２４ａ内に摺動可能に配置された主弁体３２と、この主弁体３２を付勢するコイルばね３４と、主弁体３２をコイルばね３４とは反対の方向に付勢する形状記憶合金ばね３６と、を有する。また、湯水混合ユニット２４は、温調用スピンドル２６の基端に螺合され、温調用スピンドル２６が回転されると湯水混合ユニット本体２４ａ内で摺動されるように配置された摺動部材３８を有する。
【００２３】
湯水混合ユニット本体２４ａには、水用水路２２ａに連通する水流入口２４ｃと、湯用水路２２ｂに連通する湯流入口２４ｄが形成されており、これらの流入口は、フィルタ２４ｂによって覆われている。
【００２４】
主弁体３２は、概ね円筒状の形状であり、湯水混合ユニット本体２４ａ内に摺動可能に配置されている。主弁体３２が湯水混合ユニット本体２４ａ内で摺動されることにより、水流入口２４ｃ及び湯流入口２４ｄの開度が変化し、湯水混合ユニット本体２４ａ内で混合される水と湯の割合が変化するように構成されている。また、図２において、主弁体３２の左側にはコイルばね３４が配置されており、これにより主弁体３２は右方向に付勢されている。また、主弁体３２の右側には形状記憶合金ばね３６が配置されており、これにより主弁体３２は左方向に付勢されている。
【００２５】
温調用スピンドル２６は、湯水混合ユニット本体２４ａに回転可能に取り付けられており、湯水混合ユニット本体２４ａからその軸線方向に、即ち、壁面Ｗからほぼ直角に突出する方向に延びている。温調用スピンドル２６の基端には、送りねじ２６ａが形成されている。一方、湯水混合ユニット本体２４ａ内に摺動可能に配置されている摺動部材３８は概ね円筒状であり、その内周には送りねじが形成されている。摺動部材３８の送りねじは、温調用スピンドル２６の送りねじ２６ａと螺合されている。このため、温調用スピンドル２６を回転させることにより、摺動部材３８を湯水混合ユニット本体２４ａ内で摺動させることができる。また、摺動部材３８の基端はコイルばね３４の先端に当接されており、摺動部材３８を摺動させることにより、コイルばね３４による付勢力を変化させ、湯水混合ユニット２４の設定温度を変更することができるように構成されている。
【００２６】
また、温調用スピンドル２６の先端には、湯温調整用ハンドル６を固定するための固定用ビス４０を螺合させるための雌ねじ２６ｂが形成されている。また、温調用スピンドル２６の先端部外周には、温調用伝達部材２８と係合されるスプライン２６ｃが形成されている。なお、本実施形態においては、温調用スピンドル２６は金属製である。
【００２７】
次に、図２及び図３を参照して、湯水混合水栓本体２２への湯水混合ユニット２４の取り付け、及び湯水混合ユニット２４への湯温調整用ハンドル６の取り付けを説明する。
図２及び図３に示すように、湯水混合ユニット２４を湯水混合水栓本体２２内に収容した状態で、湯水混合ユニット押さえ４２、回転規制部材４４、及び回転規制部材押さえ４６が配置されている。また、壁面Ｗから突出する温調用スピンドル２６には温調用伝達部材２８が取り付けられ、この温調用伝達部材２８の先端には温調用高さ調整カラー３０が取り付けられている。湯温調整用ハンドル６は、この温調用高さ調整カラー３０の先端に当接するように配置されている。さらに、固定用ビス４０が、湯温調整用ハンドル６、温調用高さ調整カラー３０、及び温調用伝達部材２８を貫通して、温調用スピンドル２６の先端の雌ねじ２６ｂに螺合されている。湯温調整用ハンドル６の端面には、固定用ビス４０の頭を覆うように円形カバー５０が取り付けられている。
【００２８】
湯水混合ユニット押さえ４２は、概ね円筒状に形成されており、湯水混合水栓本体２２に形成された雌ねじに螺合されることにより、湯水混合ユニット２４を湯水混合水栓本体２２内に固定している。
【００２９】
回転規制部材４４は、概ね円筒状の部材であり、湯温調整用ハンドル６の回転に規制を加える部分と加えない部分を形成するための切欠が形成されている。この回転規制部材４４の周囲には、円筒状の回転規制部材押さえ４６が取り付けられ、回転規制部材４４を固定している。
【００３０】
温調用伝達部材２８は、概ね円筒状の部材であり、湯水混合ユニット押さえ４２、回転規制部材４４、及び回転規制部材押さえ４６を貫通して温調用スピンドル２６に取り付けられている。また、温調用伝達部材２８の基端側内周には、温調用スピンドル２６の先端のスプライン２６ｃと係合される内周スプライン２８ａが形成されている。この内周スプライン２８ａにより、温調用伝達部材２８と温調用スピンドル２６は一体的に回転される。一方、温調用伝達部材２８の先端側外周には、湯温調整用ハンドル６のスプライン６ａと係合される外周スプライン２８ｂが形成されている。この外周スプライン２８ｂにより、温調用伝達部材２８と湯温調整用ハンドル６は一体的に回転される。さらに、温調用伝達部材２８の先端には、軸線方向に延びる調整用雌ねじ２８ｃが形成されており、この調整用雌ねじ２８ｃには温調用高さ調整カラー３０が螺合されている。なお、本実施形態においては、温調用伝達部材２８は樹脂製である。また、上述したように、温調用スピンドル２６を金属製とすることにより、スピンドルの強度を確保しながら、これを取り囲む温調用伝達部材２８を樹脂製とすることにより、湯水の熱が湯温調整用ハンドル６に伝導され、これが過熱されるのを防止することができる。
【００３１】
温調用高さ調整カラー３０は、細長い円筒状の部材であり、基端部には調整用雄ねじ３０ａが形成されている。また、温調用高さ調整カラー３０の先端面には、半径方向に延びる溝３０ｂが形成されており、この溝３０ｂにマイナスドライバー（図示せず）等を差し込むことにより、容易に温調用高さ調整カラー３０を回転させることができるようになっている。温調用高さ調整カラー３０の調整用雄ねじ３０ａは、温調用伝達部材２８に形成された調整用雌ねじ２８ｃに螺合されている。このため、温調用高さ調整カラー３０を回転させることにより、温調用高さ調整カラー３０の温調用伝達部材２８からの突出量を調整できるように構成されている。また、温調用伝達部材２８の先端には、温調用高さ調整カラー３０を取り囲むように、Ｃ形リング４８が嵌め込まれている。これにより、温調用高さ調整カラー３０を回転させ過ぎることによる、温調用高さ調整カラー３０の温調用伝達部材２８からの脱落が防止される。
【００３２】
湯温調整用ハンドル６は、先端面が閉鎖した概ね円筒状の部材であり、回転規制部材４４、回転規制部材押さえ４６等を覆うように、温調用伝達部材２８に取り付けられている。湯温調整用ハンドル６は、その内側の先端面６ａが温調用高さ調整カラー３０の先端に当接するように取り付けられるので、湯温調整用ハンドル６の取り付け高さは、温調用高さ調整カラー３０の突出量によって調整される。さらに、固定用ビス４０が、湯温調整用ハンドル６を通して温調用スピンドル２６の雌ねじ２６ｂに螺合され、湯温調整用ハンドル６を固定している。また、円形カバー５０が湯温調整用ハンドル６の先端面に取り付けられ、固定用ビス４０を覆っている。
【００３３】
また、湯温調整用ハンドル６の内側中央には、内側円筒部６ｂが設けられており、この内側円筒部６ｂの内周にはスプライン６ｃが形成されている。このスプライン６ｃは、温調用伝達部材２８の外周スプライン２８ｂと係合しており、湯温調整用ハンドル６と温調用伝達部材２８は一体的に回転される。この構成により、湯温調整用ハンドル６を回転させる操作力は、温調用伝達部材２８を介して温調用スピンドル２６に伝達され、温調用スピンドル２６を回転させる。
【００３４】
さらに、湯温調整用ハンドル６の側面には、高温設定用ボタン６ｄが設けられている。この高温設定用ボタン６ｄの背面には、係合板６ｅが取り付けられている。これにより、高温設定用ボタン６ｄを湯温調整用ハンドル６の半径方向内方に押し込むと、高温設定用ボタン６ｄに取り付けられた係合板６ｅも半径方向内方に移動される。湯温調整用ハンドル６は、低温領域に調整されているときは、係合板６ｅが回転規制部材４４の切欠と整合するので、自由に回転させることができる。一方、湯温調整用ハンドル６を低温領域から高温領域に回転させようとすると、係合板６ｅと回転規制部材４４が係合して、湯温調整用ハンドル６の回転が規制される。湯温調整用ハンドル６を低温領域から高温領域に回転させるには、高温設定用ボタン６ｄを押し込んで係合板６ｅを半径方向内方に移動させ、係合板６ｅと回転規制部材４４が係合しないようにする必要がある。これにより、湯温調整用ハンドル６が偶発的に回転され、高温の湯が不意に吐出されるのを防止している。
【００３５】
また、湯温調整用ハンドル６の基端部内周には、スリップリング５２が取り付けられている。このスリップリング５２は、湯温調整用ハンドル６を回転させたとき、回転規制部材押さえ４６の外周に対して滑らかに摺動するように構成されている。これにより、湯温調整用ハンドル６のガタつきを防止し、操作感を良好にしている。
【００３６】
次に、図１乃至図３を参照して、水栓装置である切替水栓４を説明する。
図１乃至図３に示すように、切替水栓４は、湯水混合水栓２に接続され、取り付け面である壁面Ｗに埋設された配管１６に接続されている。また、切替水栓４は、水栓装置本体である切替水栓本体１２２と、この切替水栓本体１２２に収容された水栓ユニットであるロータリー弁ユニット１２４と、このロータリー弁ユニット１２４から延びるスピンドルである切替用スピンドル１２６と、を有する。また、切替水栓４は、切替用スピンドル１２６を取り囲むように配置され、吐水切替用ハンドル８に加えられた操作力を切替用スピンドル１２６に伝達する伝達部材である切替用伝達部材１２８と、この切替用伝達部材１２８の先端に螺合された高さ調整手段である切替用高さ調整カラー１３０と、を有する。
【００３７】
切替水栓本体１２２は、壁面Ｗに埋設されており、配管１６を連結するように構成されている。また、切替水栓本体１２２は、ロータリー弁ユニット１２４を収容するように構成されている。さらに、切替水栓本体１２２は、湯水混合水栓２に接続された配管１６から流入した湯水が、流入水路１２２ｃに導かれるように構成されている。この流入水路１２２ｃからロータリー弁ユニット１２４に流入した湯水が、出口水路１２２ａ又は１２２ｂから流出するように構成されている。
【００３８】
ロータリー弁ユニット１２４は、概ね円筒状のロータリー弁ユニット本体１２４ａと、このロータリー弁ユニット本体１２４ａ内で回動可能に配置されたシリンダ１３２と、を有する。ロータリー弁ユニット本体１２４ａは、概ね円筒形に構成されており、出口水路１２２ａと整合する位置、及び出口水路１２２ｂと整合する位置に夫々通水口１２４ｂ、１２４ｃ（出口水路１２２ｂに整合する通水口１２４ｃのみ図示）が形成されている。
【００３９】
シリンダ１３２は、薄い金属製の円筒であり、ロータリー弁ユニット本体１２４ａ内に回動可能に配置されている。また、シリンダ１３２の側面には、通水口１２４ｂと整合する位置、及び通水口１２４ｃと整合する位置に夫々通水口１３２ａ、１３２ｂ（出口水路１２４ｂに整合する通水口１３２ａのみ図示）が形成されている。シリンダ１３２がロータリー弁ユニット本体１２４ａ内で回動され、通水口１３２ａと通水口１２４ｂが整合すると、流入水路１２２ｃからロータリー弁ユニット１２４に流入した湯水は、通水口１３２ａ、通水口１２４ｂを通って出口水路１２２ａに流入し、オーバーヘッドシャワー用吐水口２０から吐出される。また、通水口１３２ｂと通水口１２４ｃが整合すると、湯水は、通水口１３２ｂ、通水口１２４ｃを通って出口水路１２２ｂに流入し、ハンドシャワー用吐水口１８から吐出される。さらに、通水口１３２ａ、１３２ｂが通水口１２４ｂ、１２４ｃの何れとも整合しない位置では、止水状態となる。
【００４０】
切替用スピンドル１２６は、ロータリー弁ユニット本体１２４ａに回転可能に取り付けられており、ロータリー弁ユニット本体１２４ａからその軸線方向に、即ち、壁面Ｗからほぼ直角に突出する方向に延びている。切替用スピンドル１２６の基端にはシリンダ１３２が固定されており、切替用スピンドル１２６を回動させることにより、水路を切り替え、オーバーヘッドシャワー、ハンドシャワー、止水状態を切り替えることができるように構成されている。
【００４１】
また、切替用スピンドル１２６の先端には、吐水切替用ハンドル８を固定するための固定用ビス１４０を螺合させる雌ねじ１２６ｂが形成されている。また、切替用スピンドル１２６の先端部外周には、切替用伝達部材１２８と係合されるスプライン１２６ｃが形成されている。なお、本実施形態においては、切替用スピンドル１２６は金属製である。
【００４２】
次に、図２及び図３を参照して、切替水栓本体１２２へのロータリー弁ユニット１２４の取り付け、及びロータリー弁ユニット１２４への吐水切替用ハンドル８の取り付けを説明する。
図２及び図３に示すように、ロータリー弁ユニット１２４を切替水栓本体１２２内に収容した状態で、ロータリー弁ユニット押さえ１４２、固定用スリーブ１４４、外側スリーブ１４６が配置されている。また、壁面Ｗから突出する切替用スピンドル１２６には切替用伝達部材１２８が取り付けられ、この切替用伝達部材１２８の先端には切替用高さ調整カラー１３０が取り付けられている。吐水切替用ハンドル８は、この切替用高さ調整カラー１３０の先端に当接するように配置されている。さらに、固定用ビス１４０が、吐水切替用ハンドル８、切替用高さ調整カラー１３０、及び切替用伝達部材１２８を貫通して、切替用スピンドル１２６の先端の雌ねじ１２６ｂに螺合されている。吐水切替用ハンドル８の端面には、固定用ビス１４０の頭を覆うように円形カバー１５０が取り付けられている。
【００４３】
ロータリー弁ユニット押さえ１４２は、概ね円筒状に形成されており、ロータリー弁ユニット１２４を切替水栓本体１２２内に位置決めしている。
固定用スリーブ１４４、外側スリーブ１４６は、切替用伝達部材１２８を取り囲むように配置され、ロータリー弁ユニット１２４を固定している。
【００４４】
切替用伝達部材１２８は、概ね円筒状の部材であり、固定用スリーブ１４４、及び外側スリーブ１４６を貫通して切替用スピンドル１２６に取り付けられている。また、切替用伝達部材１２８の中間部内周には、切替用スピンドル１２６の先端のスプライン１２６ｃと係合される内周スプライン１２８ａが形成されている。この内周スプライン１２８ａにより、切替用伝達部材１２８と切替用スピンドル１２６は一体的に回転される。一方、切替用伝達部材１２８の先端部外周には、吐水切替用ハンドル８のスプライン８ｃと係合される外周スプライン１２８ｂが形成されている。この外周スプライン１２８ｂにより、切替用伝達部材１２８と吐水切替用ハンドル８は一体的に回転される。さらに、切替用伝達部材１２８の先端には、軸線方向に延びる調整用雌ねじ１２８ｃが形成されており、この調整用雌ねじ１２８ｃには切替用高さ調整カラー１３０が螺合されている。なお、本実施形態においては、切替用伝達部材１２８は樹脂製である。
【００４５】
切替用高さ調整カラー１３０は、細長い円筒状の部材であり、基端部には調整用雄ねじ１３０ａが形成されている。また、切替用高さ調整カラー１３０の先端面には、半径方向に延びる溝１３０ｂが形成されており、この溝１３０ｂにマイナスドライバー（図示せず）等を差し込むことにより、容易に切替用高さ調整カラー１３０を回転させることができるようになっている。切替用高さ調整カラー１３０の調整用雄ねじ１３０ａは、切替用伝達部材１２８に形成された調整用雌ねじ１２８ｃに螺合されている。このため、切替用高さ調整カラー１３０を回転させることにより、切替用高さ調整カラー１３０の切替用伝達部材１２８からの突出量を調整できるように構成されている。また、切替用伝達部材１２８の先端には、切替用高さ調整カラー１３０を取り囲むように、Ｃ形リング１４８が嵌め込まれている。これにより、切替用高さ調整カラー１３０を回転させ過ぎることによる、切替用高さ調整カラー１３０の切替用伝達部材１２８からの脱落が防止される。
【００４６】
吐水切替用ハンドル８は、先端面が閉鎖した概ね円筒状の部材であり、固定用スリーブ１４４、外側スリーブ１４６等を覆うように、切替用伝達部材１２８に取り付けられている。吐水切替用ハンドル８は、その内側の先端面８ａが切替用高さ調整カラー１３０の先端に当接するように取り付けられるので、吐水切替用ハンドル８の取り付け高さは、切替用高さ調整カラー１３０の突出量によって調整される。さらに、固定用ビス１４０が、吐水切替用ハンドル８を通して切替用スピンドル１２６の雌ねじ１２６ｂに螺合され、吐水切替用ハンドル８を固定している。また、円形カバー１５０が吐水切替用ハンドル８の先端面に取り付けられ、固定用ビス１４０を覆っている。
【００４７】
吐水切替用ハンドル８の内側中央には、内側円筒部８ｂが設けられており、この内側円筒部８ｂの内周にはスプライン８ｃが形成されている。このスプライン８ｃは、切替用伝達部材１２８の外周スプライン１２８ｂと係合しており、吐水切替用ハンドル８と切替用伝達部材１２８は一体的に回転される。この構成により、吐水切替用ハンドル８を回転させる操作力は、切替用伝達部材１２８を介して切替用スピンドル１２６に伝達され、切替用スピンドル１２６を回転させる。
【００４８】
また、吐水切替用ハンドル８の内側円筒部８ｂの外周には、Ｏリング１５２が取り付けられており、このＯリング１５２は固定用スリーブ１４４の内周に対して滑らかに摺動するように構成されている。これにより、吐水切替用ハンドル８のガタつきを防止し、操作感を良好にしている。
【００４９】
次に、本発明の実施形態による水栓装置１を設置する際の施工手順を説明する。まず、壁面Ｗを施工する前に、給水用の配管１２、給湯用の配管１４等、壁面の背面側に埋め込まれる配管を設置し、これらに湯水混合水栓本体２２、切替水栓本体１２２等を接続する。次いで、設置した配管を覆うように、壁面Ｗを形成する。また、壁面Ｗの湯温調整用ハンドル６及び吐水切替用ハンドル８を取り付ける部分には、長方形の開口部Ｗ１を形成しておく。
【００５０】
壁面Ｗを形成した後、壁面Ｗに埋め込まれた湯水混合水栓本体２２及び切替水栓本体１２２の中に湯水混合ユニット２４及びロータリー弁ユニット１２４を夫々挿入する。湯水混合ユニット２４が湯水混合水栓本体２２の所定の位置に挿入されると、湯水混合ユニット２４の温調用スピンドル２６の先端が僅かに壁面Ｗから突出した状態となる。同様に、ロータリー弁ユニット１２４が切替水栓本体１２２の所定の位置に挿入されると、切替用スピンドル１２６の先端が僅かに壁面Ｗから突出した状態となる。
【００５１】
次に、湯水混合ユニット押さえ４２、回転規制部材４４、及び回転規制部材押さえ４６を湯水混合水栓本体２２に取り付け、湯水混合ユニット２４を湯水混合水栓本体２２内に固定する。さらに、温調用高さ調整カラー３０及びＣ形リング４８を予め取り付けた温調用伝達部材２８を、湯水混合ユニット２４の温調用スピンドル２６に取り付ける。即ち、温調用伝達部材２８に形成された内周スプライン２８ａと、温調用スピンドル２６の先端に形成されたスプライン２６ｃを係合させる。
【００５２】
一方、切替用高さ調整カラー１３０及びＣ形リング１４８を予め取り付けた切替用伝達部材１２８を、ロータリー弁ユニット１２４の切替用スピンドル１２６に取り付ける。即ち、切替用伝達部材１２８に形成された内周スプライン１２８ａと、切替用スピンドル１２６の先端に形成されたスプライン１２６ｃを係合させる。次いで、固定用スリーブ１４４、外側スリーブ１４６等を切替水栓本体１２２に取り付け、ロータリー弁ユニット１２４を切替水栓本体１２２に固定する。
【００５３】
次に、壁面Ｗに形成された開口部Ｗ１の縁に、取り付け枠１０を固定する。さらに、この取り付け枠１０の内側に、取り付けプレート１０ａを嵌め込む。取り付けプレート１０ａには、湯水混合ユニット２４及びロータリー弁ユニット１２４を露出させるための円形の穴が２つ空けられており、これらの穴の周囲には夫々隆起部１０ｂが形成されている。湯水混合ユニット２４に取り付けられた温調用伝達部材２８、及びロータリー弁ユニット１２４に取り付けられた切替用伝達部材１２８の先端は、これらの取り付けプレート１０ａに設けられた穴から突出している。
【００５４】
次に、温調用高さ調整カラー３０及び切替用高さ調整カラー１３０の取り付けプレート１０ａからの高さを調整する。即ち、温調用伝達部材２８に螺合されている温調用高さ調整カラー３０を回転させることにより、温調用高さ調整カラー３０は、温調用スピンドル２６の軸線方向に平行移動され、位置調整を行うことができる。この際、温調用高さ調整カラー３０の先端に形成されている溝３０ｂにマイナスドライバーを差し込み、回転させることによって、温調用高さ調整カラー３０の温調用伝達部材２８からの突出量を容易に調整することができる。
【００５５】
また、温調用高さ調整カラー３０が所定量突出するまで回転されると、温調用伝達部材２８の先端に取り付けられたＣ形リング４８と、温調用高さ調整カラー３０の基端に形成された調整用雄ねじ３０ａが係合して、温調用高さ調整カラー３０の回転が阻止される。これにより、温調用高さ調整カラー３０の温調用伝達部材２８からの脱落が防止される。また、調整用雄ねじ３０ａには、ねじロック用の接着剤が塗布されており、温調用高さ調整カラー３０を回転させるには適度なトルクを必要とする。これにより、温調用高さ調整カラー３０の偶発的な回転が阻止される。なお、本実施形態においては、温調用高さ調整カラー３０を、温調用伝達部材２８から約２０ｍｍまで突出させることができ、十分な調整代が確保されている。
【００５６】
同様に、切替用伝達部材１２８に螺合されている切替用高さ調整カラー１３０を回転させて、切替用高さ調整カラー１３０を、温調用スピンドル２６の軸線方向に平行移動させ、位置調整を行う。なお、本実施形態においては、切替用高さ調整カラー１３０を、切替用伝達部材１２８から約２０ｍｍまで突出させることができ、十分な調整代が確保されている。
【００５７】
次に、湯温調整用ハンドル６を温調用伝達部材２８に取り付ける。即ち、湯温調整用ハンドル６のスプライン６ｃと温調用伝達部材２８の外周スプライン２８ｂを係合させ、湯温調整用ハンドル６の内側の先端面６ａと温調用高さ調整カラー３０の先端が当接するまで湯温調整用ハンドル６を押し込む。これにより、湯温調整用ハンドル６の取り付け位置も、所定の高さに位置決めされる。本実施形態においては、湯温調整用ハンドル６と取り付けプレート１０ａの隆起部１０ｂとの間の隙間Ｄが約１ｍｍになるように、切替用高さ調整カラー１３０を高さ調整している。
【００５８】
さらに、湯温調整用ハンドル６の中心に形成された穴から固定用ビス４０を挿入し、固定用ビス４０の先端を温調用スピンドル２６に形成された雌ねじ２６ｂに螺合させ、湯温調整用ハンドル６を固定する。次いで、湯温調整用ハンドル６の先端面に円形カバー５０を取り付け、湯温調整用ハンドル６の取り付けが完了する。
【００５９】
同様に、吐水切替用ハンドル８を切替用伝達部材１２８に取り付け、吐水切替用ハンドル８の内側の先端面先端面８ａと切替用高さ調整カラー１３０の先端が当接するまで吐水切替用ハンドル８を押し込む。これにより、吐水切替用ハンドル８の取り付け位置が所定の高さに位置決めされ、吐水切替用ハンドル８と取り付けプレート１０ａの隆起部１０ｂとの間の隙間Ｄが約１ｍｍになる。
【００６０】
さらに、吐水切替用ハンドル８の中心に形成された穴から固定用ビス１４０を挿入し、固定用ビス１４０の先端を切替用スピンドル１２６に形成された雌ねじ１２６ｂに螺合させ、吐水切替用ハンドル８を固定する。次いで、吐水切替用ハンドル８の先端面に円形カバー１５０を取り付け、吐水切替用ハンドル８の取り付けが完了する。
【００６１】
次に、本発明の実施形態による水栓装置１の作用を説明する。
まず、給水用の配管１２及び給湯用の配管１４から湯水混合水栓２に供給された水及び湯は、湯水混合水栓本体２２の水用水路２２ａ及び湯用水路２２ｂに夫々流入する。水用水路２２ａ及び湯用水路２２ｂに流入した水及び湯は、夫々水流入口２４ｃ及び湯流入口２４ｄを通って、湯水混合ユニット本体２４ａ内に流入する。湯水混合ユニット本体２４ａ内に流入した水及び湯は混合され、形状記憶合金ばね３６の内側を通って出口水路２２ｃに流出する。この際、内側を通過する湯水の温度により形状記憶合金ばね３６が発生する付勢力が変化する。通過する湯水の温度が設定温度よりも高い場合には、形状記憶合金ばね３６が発生する付勢力が増大して、主弁体３２を図２における左方向に移動させる。これにより、湯流入口２４ｄの開度が減少し、水流入口２４ｃの開度が大きくなるので、混合された湯水の温度が低下する。湯水の温度が設定温度よりも低い場合には、形状記憶合金ばね３６の付勢力が減少し、主弁体３２が右方向に移動される。これにより、混合された湯水の温度が上昇する。このような主弁体３２の作用により、出口水路２２ｃに流出する湯水の温度が設定温度に調整される。
【００６２】
出口水路２２ｃに流出した湯水は、配管１６を通って切替水栓４に到達する。切替水栓４に到達した湯水は、流入水路１２２ｃからロータリー弁ユニット１２４のシリンダ１３２に流入する。シリンダ１３２に形成された通水口１３２ａとロータリー弁ユニット本体１２４ａに形成された通水口１２４ｂ（図示せず）が整合する位置にシリンダ１３２が回動されている場合には、シリンダ１３２内の湯水は通水口１３２ａ、通水口１２４ｂを通って出口水路１２２ａに流出する。出口水路１２２ａに流出した湯水は、オーバーヘッドシャワー用吐水口２０を通ってオーバーヘッドシャワー用のシャワーヘッド（図示せず）から吐出される。
【００６３】
一方、通水口１３２ｂ（図示せず）と通水口１２４ｃが整合する位置にシリンダ１３２が回動されている場合には、湯水は出口水路１２２ｂに流出する。出口水路１２２ａに流出した湯水は、ハンドシャワー用吐水口１８を通ってハンドシャワー用のシャワーヘッド（図示せず）から吐出される。また、通水口１３２ａ及び１３２ｂが、通水口１２４ｂ及び１２４ｃと夫々整合しない位置にシリンダ１３２が回動されている場合には、止水状態となる。
【００６４】
本発明の実施形態の水栓装置によれば、各ハンドルの取り付け位置を高さ調整手段である高さ調整カラーによって調整することができるので、壁面とそれに埋設された配管との間の位置関係に施工誤差等がある場合でも、壁面に対するハンドルの取り付け位置を容易に調整することができる。
【００６５】
また、本実施形態の水栓装置によれば、回転させることにより、高さ調整カラーをスピンドルの軸線方向に平行移動させることができるので、高さ調整カラーの位置を容易に微調整することができる。
【００６６】
さらに、本実施形態の水栓装置によれば、高さ調整カラーが各伝達部材を介して各スピンドルに連結されるので、既存の水栓ユニットのスピンドルを設計変更することなく、各ハンドルの取り付け位置調節を可能にすることができる。
【００６７】
また、本実施形態の水栓装置によれば、各高さ調整カラーは各伝達部材に螺合されているので、簡単な機構で高さ調整を可能にすることができる。
さらに、本実施形態の水栓装置によれば、各スピンドルと各伝達部材の間、及び各伝達部材と各ハンドルの間の回転がスプラインによって規制されている。この構成により、ハンドルの伝達部材に対する回転を規制しながら、スピンドルの軸線方向のハンドルの移動は許容され、ハンドルの高さ調整を可能にすることができる。
【００６８】
また、本実施形態の水栓装置によれば、スピンドルは金属で構成され、伝達部材は樹脂で構成されているので、スピンドルを細長く構成することを可能にするとともに、湯水の熱がハンドルに伝導され、ハンドルが過熱されるのを防止することができる。
【００６９】
以上、本発明の好ましい実施形態を説明したが、上述した実施形態に種々の変更を加えることができる。特に、上述した実施形態では、本発明を湯水混合水栓及び切替水栓に適用していたが、流路の開閉のみを行う水栓、流量調整を行う水栓等、任意の水栓装置に本発明を適用することができる。また、本明細書の「流路を調整する水栓ユニット」には、上述した、温度調整機能、水路切り替え機能、流路開閉機能、流量調整機能の他、流路に何らかの機能を付加する任意のユニット又は機能部が含まれるものとする。
【図面の簡単な説明】
【００７０】
【図１】本発明の実施形態による水栓装置全体を示す斜視図である。
【図２】本発明の実施形態による水栓装置を鉛直面で切断した断面図である。
【図３】本発明の実施形態による水栓装置の分解斜視図である。
【符号の説明】
【００７１】
Ｄ        隙間
Ｗ        壁面
Ｗ１      開口部
１        本発明の実施形態による水栓装置
２        湯水混合水栓
４        切替水栓
６        湯温調整用ハンドル
６ａ      先端面
６ｂ      内側円筒部
６ｃ      スプライン
６ｄ      高温設定用ボタン
６ｅ      係合板
８        吐水切替用ハンドル
８ａ      先端面
８ｂ      内側円筒部
８ｃ      スプライン
１０      取り付け枠
１０ａ    取り付けプレート
１０ｂ    隆起部
１２      給水用の配管
１４      給湯用の配管
１６      配管
１８      ハンドシャワー用吐水口
２０      オーバーヘッドシャワー用吐水口
２２      湯水混合水栓本体
２２ａ    水用水路
２２ｂ    湯用水路
２２ｃ    出口水路
２４      湯水混合ユニット
２４ａ    湯水混合ユニット本体
２４ｂ    フィルタ
２４ｃ    水流入口
２４ｄ    湯流入口
２６      温調用スピンドル
２６ａ    送りねじ
２６ｂ    雌ねじ
２６ｃ    スプライン
２８      温調用伝達部材
２８ａ    内周スプライン
２８ｂ    外周スプライン
２８ｃ    調整用雌ねじ
３０      温調用高さ調整カラー
３０ａ    調整用雄ねじ
３０ｂ    溝
３２      主弁体
３４      コイルばね
３６      形状記憶合金ばね
３８      摺動部材
４０      固定用ビス
４２      湯水混合ユニット押さえ
４４      回転規制部材
４６      回転規制部材押さえ
４８      Ｃ形リング
５０      円形カバー
１２２    切替水栓本体
１２２ａ  出口水路
１２２ｂ  出口水路
１２２ｃ  流入水路
１２４    ロータリー弁ユニット
１２４ａ  ロータリー弁ユニット本体
１２４ｂ  通水口
１２４ｃ  通水口
１２６    切替用スピンドル
１２６ｂ  雌ねじ
１２６ｃ  スプライン
１２８    切替用伝達部材
１２８ａ  内周スプライン
１２８ｂ  外周スプライン
１２８ｃ  調整用雌ねじ
１３０    切替用高さ調整カラー
１３０ａ  調整用雄ねじ
１３０ｂ  溝
１３２    シリンダ
１３２ａ  通水口
１３２ｂ  通水口
１４０    固定用ビス
１４２    ロータリー弁ユニット押さえ
１４４    固定用スリーブ
１４６    外側スリーブ
１４８    Ｃ形リング
１５０    円形カバー
１５２    Ｏリング
【図１】
2007262779.tif 000003
【図２】
2007262779.tif 000004
【図３】
2007262779.tif 000005